(57)【特許請求の範囲】
【請求項１】
可燃性ガスが供給されるガス導入路及び前記可燃性ガスが導出されるガス導出路に接続される中空部を内部に有するケース部材と、
前記ケース部材内の前記中空部の軸線方向に移動自在に設けられて、かつ前記ガス導入路側に付勢されて、ガス導入圧力が相対的に低下した場合に、前記ガス導入路を閉鎖する側に移動する逆止弁と、
前記ケース部材内の中空部内に設けられ、前記ガス導出路からの逆火時の爆発による圧力により、前記逆止弁を閉鎖する側に移動させる逆火防止機構と、を有し、
前記逆火防止機構は、
前記中空部の軸線方向に移動自在に設けられて、逆火時の爆発による圧力を受けた場合に、前記ガス導入路側に移動する感圧子と、
前記中空部の軸線方向に移動自在に設けられて、逆火により前記感圧子が前記ガス導入路側に移動した場合に、前記感圧子に押圧されて前記ガス導入路側に移動するロッドと、
前記ロッドと前記逆止弁との間にて、前記中空部の軸線方向に移動自在に設けられて、前記ロッドに押圧された場合に、前記逆止弁を前記ガス導入路側に移動させて前記ガス導入路を閉鎖する移動子と、を有し、
前記中空部内には、前記ケース部材の内周面と前記ロッドの外周面との間に、前記移動子に当接された状態で転動自在な転動部材と、前記転動部材を前記ガス導入路側に付勢する遮断スプリングが配置されており、
前記ケース部材の内周面には、通常時に、前記転動部材を係止して前記遮断スプリングの付勢力が前記移動子に伝達されるのを規制する段部が形成され、
かつ前記ロッドの外周面には、逆火が発生して前記ロッドがガス導入路側に移動した場合に、前記転動部材の前記段部による係止を解除するとともに前記転動部材を係止する溝部が形成されていることを特徴とする逆火防止器。
【請求項２】
請求項１に記載の逆火防止器であって、
前記転動部材は、球体であることを特徴とする逆火防止器。
【発明の詳細な説明】
【技術分野】
【０００１】
本発明は、水素ガス等の爆発する可能性がある可燃性ガスを供給する装置、配管の供給路などに適用され、ガス導出路側で逆火が発生した場合に、可燃性ガスを確実に遮断するとともに、不意の復帰を防止できる逆火防止器に関する。
【背景技術】
【０００２】
従来より、例えば、トーチ等が位置するガス導出路側で発生する逆火を止め、かつ可燃性ガスを遮断することができる逆火防止器として、特許文献１に示すような乾式逆火防止器が開示されている。
この乾式逆火防止器は、ケース部材内の遮断弁ホルダーに形成されたガス供給路内に、スプール弁で構成した遮断弁体を進退移動可能に内嵌し、遮断弁体の端部（ガス導出側端部）に形成した逆止弁座に、逆止弁バネで付勢した逆止弁体を当接させるようになっている。
【０００３】
そして、遮断弁体の（ガス導入路側）脚部先端は、遮断弁ホルダーに装着されていて、逆火作動時に、ケース部材から外部に突出するようになっている。
また、ケース部材でかつ遮断弁体の脚部先端の移動経路には、遮断弁体の脚部周面に当接するボールが、作動圧調整機構により当接圧力変更可能に装着され、一方、遮断弁体の脚部周面には、逆火作動時に、ケース部材側のボールが嵌まり込むための凹部が形成されている。
かかる構成により、逆火作動時には、遮断弁体の脚部周面の凹部に嵌まり込んだボールにより、遮断弁体がケース部材内のガス供給路が遮断された状態で固定され、これにより新たな可燃性ガスの導入が強制に遮断されるようになっている。
【先行技術文献】
【特許文献】
【０００４】
【特許文献１】特開２００５‐２４０８４０号公報
【発明の概要】
【発明が解決しようとする課題】
【０００５】
ところで、上記特許文献１に示される逆火防止器では、ケース部材側のボールが、遮断弁体の脚部周面に当接するだけの構造、すなわち、ボールが転動自在の構造であるので、作動圧調整機構の調整ねじによりその当接圧力が調整されているにしても、ねじの緩みなどが原因となって誤作動する可能性がある。
【０００６】
具体的には、例えば、作動圧調整機構の調整ねじが緩んだ状態で、可燃性ガスの供給圧力が低下して、逆止弁体が、逆止弁バネの付勢力によって遮断弁体端部の逆止弁座に当接してしまうと、その圧力が、遮断弁体にまで伝達されて、遮断弁体が誤作動してしまう可能性がある。
【０００７】
また、例えば、水素ガスや水素を多く含む混合ガスでは、トーチ側での逆火時の爆発的な燃焼の後、爆発前の圧力が小さい時は負圧になるため、作動圧調整機構のねじ調整が十分でない場合、逆火防止器は、逆火後の圧力低下で逆止弁・遮断弁とも自動復帰してしまう可能性があった。
【０００８】
また、上記特許文献１に記載の逆火防止器は、作動圧調整機構の調整ねじが強く締め過ぎている場合には、トーチ側での逆火時の爆発力が小さい場合に、遮断弁体が正常に作動せずに、可燃性ガスの供給が遮断されない可能性があった。
【０００９】
また、引用文献１以外に、遮断弁体をロックピンにより押さえ、逆火が発生したときに、ロックピンを押し上げて遮断弁体との係止状態を解除する技術も開示されているが、かかる構成では、逆火の爆発状態や大きさにより、ロックピンの解除動作にバラツキが発生する可能性があり、充分な信頼性が確保できないという可能性がある。
【００１０】
以上のような、逆火防止器の遮断弁体の誤作動を解消して信頼性を向上するために、所望の圧力がかかってはじめて作動し、かつ一旦作動した後は、遮断した状態を保持して、不意の復帰が防止できる遮断機構に対する強い技術的要請があった。
【００１１】
この発明は、上述した事情に鑑みてなされたものであって、可燃性ガスの供給圧力が低下して、ガス導出側における逆火の爆発力が小さい場合でも、可燃性ガスを確実に遮断でき、かつ不意の復帰が防止できる逆火防止器を提供することを目的とする。
【課題を解決するための手段】
【００１２】
上記課題を解決するために、この発明は以下の手段を提案している。
請求項１に記載の発明は、可燃性ガスが供給されるガス導入路及び前記可燃性ガスが導出されるガス導出路に接続される中空部を内部に有するケース部材と、前記ケース部材内の前記中空部の軸線方向に移動自在に設けられて、かつ前記ガス導入路側に付勢されて、ガス導入圧力が相対的に低下した場合に、前記ガス導入路を閉鎖する側に移動する逆止弁と、前記ケース部材内の中空部内に設けられ、前記ガス導出路からの逆火時の爆発による圧力により、前記逆止弁を閉鎖する側に移動させる逆火防止機構と、を有し、前記逆火防止機構は、前記中空部の軸線方向に移動自在に設けられて、逆火時の爆発による圧力を受けた場合に、前記ガス導入路側に移動する感圧子と、前記中空部の軸線方向に移動自在に設けられて、逆火により前記感圧子が前記ガス導入路側に移動した場合に、前記感圧子に押圧されて前記ガス導入路側に移動するロッドと、前記ロッドと前記逆止弁との間にて、前記中空部の軸線方向に移動自在に設けられて、前記ロッドに押圧された場合に、前記逆止弁を前記ガス導入路側に移動させて前記ガス導入路を閉鎖する移動子とを有し、前記中空部内には、前記ケース部材の内周面と前記ロッドの外周面との間に、前記移動子に当接された状態で転動自在な転動部材と、前記転動部材を前記ガス導入路側に付勢する遮断スプリングが配置されており、前記ケース部材の内周面には、通常時に、前記転動部材を係止して前記遮断スプリングの付勢力が前記移動子に伝達されるのを規制する段部が形成され、かつ前記ロッドの外周面には、逆火が発生して前記ロッドがガス導入路側に移動した場合に、前記転動部材の前記段部による係止を解除するとともに前記転動部材を係止する溝部が形成されていることを特徴とする。
【００１３】
本発明に係る逆火防止器によれば、ガス導出側で逆火が生じると、逆火の圧力で感圧子が移動し、感圧子の移動がロッドに伝達される。ロッドが移動すると、ロッドの溝部に転動部材が嵌り込み、段部に係止されていた転動部材及びロッドが軸線方向に移動自在となり、遮断スプリングの付勢力が転動部材を介して移動子及び逆止弁に伝達されて逆火防止機構が作動する。
その結果、逆火の圧力が加わらない限り、逆火防止機構が作動することはなく、可燃性ガスの供給圧力が低下しても、振動等による逆止弁の誤作動が防止される。
また、上記逆火防止器によれば、通常時、ケース部材の内周面に形成された段部に転動部材が係止されているので、逆火による爆発が生じて所定以上の圧力が感圧子に印加されて、感圧子がロッドを移動させて、ロッドの溝部に転動部材が嵌り込む位置に移動した場合に限って、転動部材が段部から解除され、遮断スプリングが伸張して逆止弁がガス導入路を閉止するとともに、ロッドがその位置で保持される。
その結果、逆火による爆発の圧力が所定圧力に達しない場合には、逆火防止機構が作動しないので誤作動が抑制され、また、保持されたロッド及び逆止弁は、逆方向に所定の力が負荷されない限りガス導出側に移動することがないので、不意に遮断が不意に復帰するのが防止される。
【００１４】
請求項２に記載の発明は、請求項１に記載の逆火防止器であって、前記転動部材は、球体であることを特徴とする。
【００１５】
この発明に係る逆火防止器によれば、転動部材が球体であるため、安定して転動し、その結果、逆火防止器としての作動信頼性を向上することができる。
【発明の効果】
【００１６】
本発明に係る逆火防止器によれば、逆火による爆発が生じた場合に、可燃性ガスの供給を確実に遮断するとともに、遮断後は遮断状態を確実に維持することができる。
その結果、逆火防止器の信頼性を向上することができる。
【図面の簡単な説明】
【００１７】
【図１】通常時の逆火防止器を示す正断面図である。
【図２】逆火時の逆火防止器を示す正断面図である。
【図３】逆火状態から通常状態に復帰させるためのリセット棒を挿入した際の逆火防止器を示す正断面図である。
【発明を実施するための形態】
【００１８】
本発明の一実施形態に係る逆火防止器について、図１〜図３を参照して説明する。
一実施形態に係る逆火防止器は、可燃性ガス（例えば、水素ガス）をガス切断機に供給する経路に設けられ、図１において、符号１は弁本体部を、符号２は弁本体部１の図中右端部に結合されたキャップを、符号３は弁本体部１内に設けられたロッド２３及び感圧子２４（後述する）を保持するためのフィルタ受けを、符号４は弁本体部１内におけるキャップ２とフィルタ受部材３との間に設けられた焼結金属を示している。
ケース部材１００は、弁本体部１と、キャップ２と、フィルタ受部材３と、焼結金属４とを備えている。また、キャップ２の図中右端部には、図示しない配管や減圧弁に接続するためのナット５が螺合されている。
【００１９】
ケース部材１００を構成する弁本体部１、キャップ２及びフィルタ受部材３の内部には、軸線Ａに沿うように可燃性ガスのガス供給路となる中空部１０が形成され、この中空部１０の図中右端にはガス導入路１１が、図中左端にはガス導出路１２がそれぞれ形成されている。
【００２０】
中空部１０内には、軸線Ａに沿う可燃性ガスのガス供給方向（矢印ａ方向）に沿って、逆止弁２０、移動子２１、ステンレスボール（転動部材）２２、ロッド２３、感圧子２４が順次配置されている。
これら逆止弁２０、移動子２１、ステンレスボール２２、ロッド２３、感圧子２４は、それぞれ軸線Ａに沿って矢印ａ‐ｂ方向に移動自在に設けられている。
【００２１】
逆止弁２０は、移動子２１との間に配置された圧縮バネからなる逆止弁スプリング２５により、ガス供給方向ａと逆方向の矢印ｂ方向に付勢されるものであり、矢印ａ方向への可燃性ガス供給圧が低下した場合に、逆止弁スプリング２５の付勢力によりキャップ２上の逆止弁座２Ａに当接する。
また、逆止弁２０のガス導入路１１側には、Ｏリング２０Ａが設けられ、逆止弁２０が矢印ｂ方向に移動した場合に、Ｏリング２０Ａがキャップ２上の逆止弁座２Ａに当接及び密着して、ガス導入路１１を閉鎖するようになっている。
【００２２】
移動子２１は、断面視、コ字状体に形成され、コ字状体の凹部２１Ａ内にロッド２３の一端部２３Ａが挿入され、ロッド２３が矢印ｂ方向に移動することにより、凹部２１Ａの底面に当接するようになっている。
ロッド２３は、矢印ｂ側の一端部２３Ａ近傍が平滑な周面２３Ｂとなっており、周面２３Ｂの途中に溝部２３Ｃが形成されており、この溝部２３Ｃ内に、ステンレスボール２２が嵌まり込むようになっている。
【００２３】
ステンレスボール２２は、ロッド２３の周面２３Ｂとフィルタ受部材３の内周面との間にて矢印ａ―ｂ方向に転動可能に設けられ、矢印ａ方向に転動した場合には、フィルタ受部材３の内周面に形成された段部３Ａ内に嵌まり込み、また、矢印ｂ方向に転動した場合には、ロッド２３の溝部２３Ｃ内に嵌まり込むようになっている。
【００２４】
また、ステンレスボール２２は、通常時は、フィルタ受部材３の段部３Ａに嵌まり込み、かつロッド２３の周面２３Ｂ上に当接した状態とされ、逆火時には、（矢印ｂ方向に移動した）ロッド２３の溝部２３Ｃ内に嵌り込んだ後、フィルタ受部材３の段部３Ａから、段部３Ａに接続される平滑部３Ｂ上に乗り上げて転動するようになっている。
【００２５】
中空部１０内のロッド２３の外周には、ステンレスボール２２に接触する座金２６が設けられている。
座金２６は、感圧子２４近傍に位置するロッド２３のスプリング固定部２３Ｄとの間にロッドスプリング２７を保持し、ロッド２３の他端部２３Ｅは、ロッドスプリング２７により感圧子２４に押し付けられるようになっている。
【００２６】
また、フィルタ受部材３の矢印ａ側に位置するリブ３Ｃと、座金２６との間には、座金２６を介して、ステンレスボール２２を矢印ｂ方向に付勢するための遮断スプリング２８が設けられている。
なお、この実施形態において、ロッドスプリング２７及び遮断スプリング２８は、例えば、いずれも圧縮バネが使用され、遮断スプリング２８のバネ力がロッドスプリング２７よりも強く設定されている。
【００２７】
感圧子２４は、Ｏリング２９を介してフィルタ受部材３に保持されたものであって、ロッド２３の他端部２３Ｅに接触された状態にある。なお、感圧子２４は、ガス導入路１１からガス導出路１２へのガス移動を許容しつつ、トーチ等ガス導出路１２側における逆火時の爆発圧を受圧面２４Ａで受ける構造とされ、爆発圧を受けた際に、矢印ｂ方向へ移動するようになっている（図２）。
【００２８】
なお、以上のような構成において、移動子２１、ステンレスボール２２、ロッド２３、感圧子２４、座金２６、ロッドスプリング２７、遮断スプリング２８により、逆火防止機構１０１が構成される。
【００２９】
次に、本実施形態に示す逆火防止器において、逆火が発生した時の動作について図１を参照して説明する。
通常時において、逆止弁２０は、図１に示すように、移動子２１との間に配置された逆止弁スプリング２５により、ガス供給方向ａと逆方向の矢印ｂ方向に付勢されている。
軸線Ａに沿う矢印ａ方向に可燃性ガスのガス供給方向が供給されているときには、逆止弁２０は、その供給圧力により、逆止弁スプリング２５の付勢力に抗して開いた状態（図１で示す状態）にある。
このとき、可燃性ガスの供給圧を「Ｆ１」、逆止弁スプリング２５の付勢力を「Ｆ２」とすれば、「Ｆ１＞Ｆ２」の関係が成立する。
【００３０】
次に、本実施形態に示す逆火防止器において、逆火が発生した時の動作について図１及び図２を参照して説明する。なお、これらの図において、図１は逆火が発生する前の通常時の状態、図２は逆火時の状態を示している。
ステンレスボール２２は、図１に示す通常の状態において、フィルタ受部材３の段部３Ａに係止されかつロッド２３の周面２３Ｂ上に位置した状態にあり、ロッドスプリング２７、遮断スプリング２８により矢印ｂ方向へ付勢されても、段部３Ａにより同方向への移動が規制されている。
【００３１】
（１）ガス導出路１２の出口側から加わる逆火時の爆発による圧力を、広い受圧面を持つ感圧子２４が受けると、感圧子２４が押されて、ガス導入路１１側の矢印ｂ方向に移動する。
【００３２】
（２）感圧子２４の矢印ｂ方向への移動にともない、感圧子２４に接触した状態にあるロッド２３も同方向に移動する。
【００３３】
（３）ロッド２３が、矢印ｂ方向に沿って予め設定した所定量（例えば、１.１ｍｍ）移動すると、ロッド２３の周面２３Ｂとフィルタ受部材３の段部３Ａと間にあるステンレスボール２２が、ロッド２３の周面２３Ｂに形成された溝部２３Ｃに嵌まり込み、段部３Ａからステンレスボール２２が外れる。
溝部２３Ｃに嵌まり込むと、フィルタ受部材３の段部３Ａから外れたステンレスボール２２がフィルタ受部材３の平滑部３Ｂに乗り上げ、かつ平滑部３Ｂ上を転動可能な状態となる。
【００３４】
（４）ステンレスボール２２が溝部２３Ｃに嵌り込んだロッド２３は、遮断スプリング２８に押されて、矢印ｂ方向に移動する。このとき、ロッド２３の溝部２３Ｃに嵌まり込んだステンレスボール２２は、フィルタ受部材３の平滑部３Ｂ上を転動する。
【００３５】
（５）その後、ロッド２３は、移動子２１の凹部２１Ａ内に接触した後、移動子２１を、逆止弁２０のＯリング２０Ａがキャップ２の逆止弁座２Ａに接触する状態となるまで矢印ｂ方向に移動させ、これによりガス導入路１１からの可燃性ガス流入を遮断する。
このとき、遮断スプリング２８の付勢力が常に逆止弁２０に加わることで遮断が確実に持続することが可能であり、この動作により、逆火による爆発の圧力が、水素ガスの場合において圧力が小さい場合でも確実にガスの遮断が可能で、逆止弁２０を強い力で固定しておくことができる。
【００３６】
なお、  逆火防止機構１０１は、
可燃性ガスの供給圧による逆止弁の開方向の力を「Ｆ１」、逆止弁スプリング２５の付勢力を「Ｆ２」、ロッドスプリング２７の付勢力を「Ｆ３」、遮断スプリング２８の付勢力を「Ｆ４」、逆火により感圧子２４に作用する力を「Ｆ５」とすると、
逆火が生じるまでは、ステンレスボール２２が段部３Ａに係止されているので、Ｆ１＞Ｆ２  の関係が成立するときに逆止弁２０が開放され、成立しないときに逆止弁２０が閉鎖される。この逆止弁スプリング２５の付勢力「Ｆ２」は、可燃性ガスの最低使用圧力未満に対応するわずかな力に設定されていれば充分である。その結果、ガス導入路１１側における可燃性ガスの供給圧力が低下しても、可燃性ガスが使用圧力範囲にある場合には、逆止弁２０の開状態で維持されるので、可燃性ガスを安定して使用することができる。
そして、逆火が生じて、  Ｆ１＜Ｆ４＋Ｆ５−Ｆ２−Ｆ３  の関係が成立すると、逆止弁２０が閉鎖される。
逆止弁２０が、一旦閉鎖されると、逆火による圧力がなくなりＦ５がゼロになっても、Ｆ１＜Ｆ４−Ｆ２−Ｆ３  の関係が成立する限り、逆止弁２０の閉止が維持される。
【００３７】
また、上述した逆火が収まり、逆火防止機構１０１を初期状態（図１で示される状態）に復帰させる場合には、図３で示すように、ガス導入路１１側から矢印ａ方向にリセット棒３０を挿入する。このとき、リセット棒３０を「Ｆ２＋Ｆ３＋Ｆ４」より強い力で矢印ａ方向に押し込むと、ロッド２３も同方向に移動し、かつロッド２３の溝部２３Ｃ内に嵌り込んでいたステンレスボール２２も転動しながら同方向に移動する。
【００３８】
このとき、ステンレスボール２２は、フィルタ受部材３側の段部３Ａに嵌まり込むまで移動し、段部３Ａに嵌まった時点で、ロッド２３の溝部２３Ｃからロッド２３の周面２３Ｂ上に乗り上げ、この状態で、ロッド２３はさらに感圧子２４が、フィルタ受部材３の末端部３Ｄに接触するまで矢印ａ方向に移動し、これにより図１で示す初期状態にリセットされることになる。
【００３９】
本実施形態に係る逆火防止器によれば、ガス導入圧力が相対的に低下した場合に、ケース部材１００の中空部１０内に設けられた逆止弁２０が、ガス導入路１１側に付勢されてガス導入路１１を閉鎖するので、可燃性ガスの逆流が防止される。
【００４０】
また、通常時には、ステンレスボール２２が、ケース部材１００の内周面に形成された段部３Ａに係止され、遮断スプリング２８の付勢力が移動子２１に伝達されるのを抑止しているので、移動子２１を介して逆止弁２０が移動することがなく、可燃性ガスが安定して流通する。
【００４１】
一方、ガス導出路１２側で逆火が発生した場合には、逆火時の爆発による圧力を感圧子２４が受けて、感圧子２４及び感圧子２４に押圧されたロッド２３が矢印ｂ方向に移動する。
その結果、ステンレスボール２２は、段部３Ａでの係止が解除されて溝部２３Ｃに係止され、遮断スプリング２８の付勢により、移動子２１を介して逆止弁２０が逆止弁座２Ａ側に移動してガス導入路１１を遮断する。
【００４２】
一実施形態に係る逆火防止器によれば、感圧子２４が軸線方向に付勢された遮断スプリング２５を介してステンレスボール２２に伝達され、ステンレスボール２２が移動してはじめて逆火防止機構１０１が作動するので、可燃性ガスの供給圧力が低下しても、振動等による逆止弁２０の誤作動が防止される。
【００４３】
また、通常時、ケース部材１００の内周面に形成された段部３Ａにステンレスボール２２が係止されているので、逆火による爆発が生じて所定以上の圧力が感圧子２４に印加されて、遮断スプリング２８を介して、ステンレスボール２２に伝達される所定以上の力が加わった場合に限って、ステンレスボール２２が段部３Ａから解除されて、ガス導入路１１側に移動するとともにロッド２３に形成された溝部２３Ｃに嵌まり込んで、逆止弁２０がガス導入路１１を閉止するとともに、その位置でロッド２３が保持される。
【００４４】
また、保持されたロッド２３及び逆止弁２０は、逆方向に所定の力が負荷されない限りガス導出側に移動することがないので、不意に遮断が不意に復帰するのが防止される。
【００４５】
以上、本発明の実施形態について図面を参照して詳述したが、具体的な構成はこの実施形態に限られるものではなく、本発明の要旨を逸脱しない範囲の設計変更等も含まれる。
【００４６】
例えば、上記実施の形態においては、転動部材が、ステンレスボール２２である場合について説明したが、逆火発生時に、遮断スプリング２８の付勢力の伝達を規制するための段部３Ａからロッド外周面の溝部２３Ｃに乗り移り可能であれば、ボールに代えて、多面体を用いてもよいし、又、ボールや多面体等の一部からなる部材を用いてもよい。また、ボールである場合に、ステンレスに限定されず、セラミックス等、他の材質が適用できることはいうまでもない。
【００４７】
また、ロッドスプリング２７により、ロッド２３の他端部２３Ｅを、感圧子２４に押し付けるようにしたが、ロッド２３の他端部２３Ｅを、感圧子２４に押し付けるための付勢手段は、ロッドスプリング２７に限定されず、例えば、ロッド２３と感圧子２４との間に引張バネを配置してもよい。
【００４８】
また、上記実施の形態においては、可燃性ガスが水素ガスである場合について説明したが、例えば、水素とプロパン等の炭化水素とを混合した混合ガス、水素と酸素等の支燃性ガスとを混合した混合ガス、水素、炭化水素、支燃性ガスとを混合した混合ガスのほか、アセチレン等の炭化水素単体のガスにも適用可能である。
【産業上の利用可能性】
【００４９】
本発明は、水素等の可燃性ガスを供給する装置、配管の供給路などに適用されて、ガス導出路側で発生する逆火を止め、可燃性ガスを遮断することができるので、産業上利用可能である。
【符号の説明】
【００５０】
１０  中空部
１１  ガス導入路
１２  ガス導出路
２１  移動子
２２  ステンレスボール（転動部材）
２３  ロッド
２４  感圧子
２８  遮断スプリング
１００  ケース部材
１０１  逆火防止機構
Ａ  軸線
【図１】
0005528309.tif 000002
【図２】
0005528309.tif 000003
【図３】
0005528309.tif 000004